(57)【特許請求の範囲】
【請求項１】
照明光源からの照明光を被検眼に対向して配設された対物レンズを介して被検眼の眼底に照射する照明光学系と、前記被検眼の眼底により反射されて前記対物レンズを通過した反射像を該対物レンズの後方に配設された撮影絞りを介して受像することにより眼底像を撮影する撮影光学系と、合焦用の指標を形成する指標光を前記眼底に投影する合焦指標投影光学系とを備え、
前記照明光学系の照明光路には、前記対物レンズへの前記照明光の入射の際に該照明光の一部を表面反射する表面反射面に関して前記撮影絞りと共役な位置に有害反射光除去用の黒点を有する黒点板が設けられ、該黒点板と前記照明光源との間の照明光路には、前記合焦用の指標を前記照明光路に合流させる光学部材が設けられ、前記黒点は前記照明光学系の光軸と同心であり、前記指標は前記黒点に対して偏心され、前記光学部材は前記照明光を透過しかつ前記指標光を反射する反射ミラーであり、前記被検眼の虹彩と略共役な位置に設けられている眼底カメラの光学系。
【請求項２】
前記照明光と前記指標光との波長が互いに異なっている請求項１に記載の眼底カメラの光学系。
【請求項３】
前記照明光は可視光であり、前記指標光は赤外光である請求項１に記載の眼底カメラの光学系。
【請求項４】
前記照明光と前記指標光とが波長の互いに異なる赤外光であり、前記指標光の波長が長波長側にずれている請求項１に記載の眼底カメラの光学系。
【請求項５】
前記合焦指標投影光学系は前記指標形成用の２孔絞りを有し、該２孔絞りの２個の孔が前記被検眼に対して横に配列されている請求項１に記載の眼底カメラの光学系。
【請求項６】
前記撮影光学系から分岐して接眼光学系が設けられ、その光軸より下の方向に前記指標の偏心方向が対応している請求項１に記載の眼底カメラの光学系。
【請求項７】
前記指標が前記被検眼の下部に投影される請求項１に記載の眼底カメラの光学系。
【請求項８】
前記反射ミラーは前記照明光を透過する透明板と該透明板に形成されて一対の指標光をそれぞれ反射する一対の反射面とから構成され、一対の反射面は横方向に間隔を開けて設けられている請求項１に記載の眼底カメラの光学系。
【請求項９】
前記指標光を検出する光検出手段が前記撮影光学系から分岐させた位置に設けられ、前記接眼光学系に前記光検出手段の検出範囲を表示したことを特徴とする請求項１ないし請求項８のいずれか１項に記載の眼底カメラの光学系。
【請求項１０】
前記光検出手段が指標の偏心方向と同一の方向に偏心していることを特徴とする請求項１ないし請求項８のいずれか１項に記載の眼底カメラの光学系。
【発明の詳細な説明】
【０００１】
【産業上の利用分野】
本発明は、照明光源からの照明光を被検眼に対向して配設された対物レンズを介して被検眼の眼底に照射し、その眼底により反射されて対物レンズを通過した反射像をこの対物レンズの後方に配設された撮影絞りを介して受像することにより眼底像を撮影する眼底カメラの光学系の改良に関し、更に詳しくは、合焦用の指標を眼底に投影して撮影を行う眼底カメラの光学系の改良に関する。
【０００２】
【従来の技術】
従来から、図１に示す光学構成の眼底カメラが知られている（例えば、特開平４−３５２９３７号公報参照）。その図１において、１は照明光学系、２は撮影光学系である。照明光学系１は観察用の照明光源３、コンデンサレンズ４、撮影用の照明光源５、コンデンサレンズ６、リングスリット７、光学部材８、リングスリット９、リレーレンズ１０、ミラー１１、黒点板１２、リレーレンズ１３、孔空きミラー１４、対物レンズ１５を有する。対物レンズ１５は被検眼Ｅに対向して配設されている。リングスリット７は被検眼Ｅの瞳孔と共役な位置に配設されている。黒点板１２は対物レンズ１５への照明光の入射の際にこの照明光の一部を表面反射する表面反射面１５ａに関し、後述する撮影絞りと共役な位置に設けられている。この黒点板１２は黒点１２ａを有する。黒点１２ａは照明光学系１の光軸Ｏ１と同心である。この黒点１２ａは有害反射光除去用として用いられ、その詳細な作用については、例えば、特公昭６０−５７８５２号公報を参照されたい。照明光源３、５からの照明光は対物レンズ１５を介して被検眼Ｅに導かれ、その瞳孔を通って眼底Ｅｆに照射される。
【０００３】
撮影光学系２は照明光学系１と共用の対物レンズ１５、孔空きミラー１４を有すると共に、撮影絞り１６、合焦レンズ１７、変倍レンズ１８、結像レンズ１９、跳ね上げミラー２０、撮影カメラ２１を有する。符号Ｆはその撮影カメラ２１のフィルムを示している。跳ね上げミラー２０の反射方向前方には、反射プリズム２２、接眼レンズ２３が設けられ、跳ね上げミラー２０、反射プリズム２２、接眼レンズ２３は接眼光学系２４を構成している。眼底Ｅｆにより反射された反射光は、対物レンズ１５を通過し、孔空きミラー１４の孔部１４ａ、撮影絞り１６、合焦レンズ１７、変倍レンズ１８、結像レンズ１９を経由して跳ね上げミラー２０に導かれる。跳ね上げミラー２０は観察時に撮影光学系２の撮影光路に挿入され、眼底Ｅｆからの反射像が跳ね上げミラー２０により反射されて接眼光学系２４に導かれ、眼底像が観察される。
【０００４】
光学部材８は合焦指標投影系２５の一部を構成し、後述する指標光を照明光学系１の照明光路に合流させる役割を有する。その光学部材８には図２に示されているように透明板の一面側に縦方向に間隔を開けて一対の反射面８ａ、８ｂが形成されている。合焦指標投影系２５は指標光発生用の光源２６、コンデンサレンズ２７、スプリットプリズム２８、２９、指標板３０、リレーレンズ３１、ミラー３２を有する。指標板３０は図３に分解斜視図で示されているように一対の透過窓３０ａ、３０ｂを有する。一対の指標光はスプリットプリズム２８、２９を透過屈折して、指標板３０の一対の透光窓３０ａ、３０ｂ、リレーレンズ３１を透過した後、ミラー３２で反射され、光学部材８の反射面８ａ、８ｂで反射されることにより照明光路に合流される。その一対の透過窓３０ａ、３０ｂは合焦指標投影系２５の光軸Ｏ２を挟んで対称位置に配置され、その一対の透過窓３０ａ、３０ｂを透過した一対の指標光により一対の指標が形成され、その一対の指標はリレーレンズ１０と黒点板１２との間の中間点Ｒ１で一次空中結像され、その中間点Ｒ１で一次空中結像された一対の指標は孔空きミラー１４と対物レンズ１５との間の中間点Ｒ２で二次空中結像され、対物レンズ１５を介して、眼底Ｅｆに投影される。撮影者が例えば合焦レンズ１７を撮影光学系２の光軸Ｏ３に沿って移動させると、スプリットプリズム２８、２９、指標板３０から構成されるスプリットプリズムユニット３３がその合焦レンズ１７の移動に連動して光軸Ｏ２に沿って移動し、撮影者は、この一対の指標を観察しつつこれが一致する方向に合焦レンズ１７を移動させて眼底像の合焦を行う。
【０００５】
【解決しようとする課題】
この従来の眼底カメラの光学系では、被検眼が近視の場合、合焦レンズ１７の被検眼Ｅから光軸に沿って遠ざかる方向の移動に連動して、スプリットプリズムユニット３３がリレーレンズ３１に近づく方向に移動し、一対の指標が一次空中結像される中間点Ｒ１が黒点板１２に近づく方向に移動するため、その一対の指標が黒点１２ａによってケラレるおそれがあり、特に被検者が強度の近視の場合、眼底Ｅｆに投影された一対の指標の一部が欠けて、一対の指標の分離・合致を判断しずらく、オートファーカス機構を有する眼底カメラの光学系では、その正確な作動を保証し難いこととなる。
【０００６】
本発明は、上記の事情に鑑みて為されたもので、その目的は、被検眼が近視の場合でも、一対の指標が黒点によってケラレるのを確実に防止できる眼底カメラの光学系を提供することにある。
【０００７】
【課題を解決するための手段】
本発明に係わる眼底カメラの光学系は、上記課題を解決するため、照明光源からの照明光を被検眼に対向して配設された対物レンズを介して被検眼の眼底に照射する照明光学系と、前記被検眼の眼底により反射されて前記対物レンズを通過した反射像を該対物レンズの後方に配設された撮影絞りを介して受像することにより眼底像を撮影する撮影光学系と、合焦用の指標を形成する指標光を前記眼底に投影する合焦指標投影光学系とを備え、
前記照明光学系の照明光路には、前記対物レンズへの前記照明光の入射の際に該照明光の一部を表面反射する表面反射面に関して前記撮影絞りと共役な位置に有害反射光除去用の黒点を有する黒点板が設けられ、該黒点板と前記照明光源との間の照明光路には、前記合焦用の指標を前記照明光路に合流させる光学部材が設けられ、前記黒点は前記照明光学系の光軸と同心であり、前記指標は前記黒点に対して偏心され、光学部材は照明光を透過し、指標光を反射する反射ミラーであり、被検眼の虹彩と略共役な位置に設けられている。
【０００８】
本発明によれば、一対の指標が黒点に対して偏心されているので、一対の指標が黒点を避けて黒点板を通過することとなり、従って、一対の指標の一次空中結像が黒点板に近づけられたとしても、その一対の指標が黒点によってケラレるのを防止できる。
【０００９】
好ましくは、その反射ミラーは透明板と一対の反射面とから構成され、一対の反射面は横方向に間隔を開けている。更に、好ましくは、照明光と指標光との波長が互いに異なっている。この場合、照明光は可視光であり、指標光は赤外光であるのが望ましい。また、照明光と指標光とが波長の互いに異なる赤外光であっても良く、指標光の波長が長波長側にずれているとなお良い。合焦指標投影光学系は指標形成用の２孔絞りを有し、２孔絞りの２個の孔が被検眼に対して縦に配列されていても良いが、横に配列することが被検眼の上瞼により一対の指標の一方がケラレないようにするために望ましい。更に、その一対の指標が被検眼の下部に投影されるのが、指標を撮影者に見やすくさせるうえで望ましい。
【００１０】
【発明の実施の形態】
【００１１】
【実施の形態１】
図４は本発明に係わる眼底カメラの実施の形態１の光学系を示し、この光学系において、従来例と同一構成要素については同一符号を付して説明することとする。
【００１２】
この発明では、合焦指標投影光学系２５のリレーレンズ３１の光軸Ｏ２に対してコンデンサレンズ２７の光軸Ｏ４が上方向に偏心されている。光源２６、指標板３０の中心Ｏ５はコンデンサレンズ２７の光軸Ｏ４と同軸に配置され、光軸Ｏ２に対して偏心されている。指標板３０には従来と同様にスプリットプリズム２８、２９が貼着されると共に、透過窓３０ａ、３０ｂが形成されている。その指標板３０とスプリットプリズム２８、２９とからなるスプリットプリズムユニット３３の配置は図１に示す従来の指標板３０とスプリットプリズム２８、２９とからなるスプリットプリズムユニット３３の配置に対して９０度回転している。すなわち、図４に示す指標板３０とスプリットプリズム２８、２９とからなるスプリットプリズムユニット３３を下側から目視したとき、このスプリットプリズムユニット３３は、図５に示すように、図１に示す従来の指標板３０とスプリットプリズム２８、２９とからなるスプリットプリズムユニット３３を横から見た場合と同一空間配置をとることとなる。この一対の透過窓３０ａ、３０ｂは縦方向に配列され、指標板３０の中心Ｏ５を境に対称的に形成されている。その一対の指標（透過窓）はリレーレンズ３１、ミラー３２、光学部材８、リングスリット９、リレーレンズ１０、ミラー１１を経由して黒点板１２の手前の中間点Ｒ１で一次空中結像される。その一対の指標の一次空中結像点の中心を代表して符号Ｏ５´で示す。この中心Ｏ５´は指標板３０の中心Ｏ５の空中結像点であり、この中心Ｏ５´は照明光学系１の光軸Ｏ１に対して下方向に偏心している。その一対の指標は黒点１２ａを避けて黒点板１２を通過し、リレーレンズ１３、孔空きミラー１４を経由して対物レンズ１５とその孔空きミラー１４との間の中間点Ｒ２で二次空中結像される。その一対の指標の一次空中結像点の中心を代表して符号Ｏ５´´で示す。この中心Ｏ５´´は照明光学系１（対物レンズ１５）の光軸Ｏ１に対して上方向に偏心している。その一対の指標は対物レンズ１５により眼底Ｅｆの中心よりも下側に投影され、図７（イ）〜図７（ハ）において、符号ｑ１、ｑ２は眼底Ｅｆに投影された指標像を示している。その一対の指標像ｑ１、ｑ２は眼底Ｅｆの下側に形成されているので、撮影者はその一対の指標像ｑ１、ｑ２を無理なく楽に肉眼視することができる。
【００１３】
照明光学系１の光学部材８の中心Ｏ６とリレーレンズ３１の光軸Ｏ２とは同心とされ、その中心Ｏ６は被検眼Ｅの虹彩Ｉと共役とされている。その光学部材８は図２に示す光学部材８を９０度回転させて照明光学系１の照明光路に配置され、従って、その反射面８ａ、８ｂは図８に示すように横方向に間隔を開けた空間配置をとることとなる。その反射面８ａ、８ｂを横方向に配列した理由は以下の通りである。従来のように、一対の指標光を縦方向に配列された反射面８ａ、８ｂにより反射させることとすると、一対の指標の一方が被検眼の上瞼によってケラレ易くなるからである。光学部材８を被検眼Ｅの虹彩Ｉと共役とした理由は、以下の通りである。光学部材８を虹彩Ｉと共役とし、眼底Ｅｆとは非共役としたので、反射面８ａ、８ｂの像が眼底Ｅｆに形成されるのを防止できるのに加え、光学部材８の両面にゴミ、ほこり等の異物が付着したとしても、かつ、光学部材８の両面に傷が発生したとしても、その異物の像、傷の像が眼底Ｅｆに投影されるのを防止できる。なお、照明光学系１の作用は従来と同様である。
【００１４】
撮影光学系２には画角５０度用の従来の変倍レンズ１８と交換可能に画角３５度用の変倍レンズ１８´、画角２０度用の変倍レンズ１８´´が設けられている。図７において、（イ）は画角５０度の変倍レンズ１８を撮影光路に挿入して接眼光学系２４を通して眼底Ｅｆを肉眼視した場合を示し、（ロ）は画角３５度の変倍レンズ１８´を撮影光路に挿入して接眼光学系２４を通して眼底Ｅｆを肉眼視した場合を示し、（ハ）は画角２０度の変倍レンズ１８´´を撮影光路に挿入して接眼光学系２４を通して眼底Ｅｆを肉眼視した場合を示している。なお、図６（イ）、（ロ）において、符号Ｐは乳頭、符号Ｐ´は中心窩を示している。接眼光学系２４には反射プリズム２２の手前に視野絞り２２´が設けられている。合焦レンズ１７は被検眼Ｅが正視眼のときには０位置に維持され、遠視の時には光軸Ｏ３に沿って＋方向に移動され、近視の時には光軸Ｏ３に沿って−方向に移動される。スプリットプリズムユニット３３はその合焦レンズ１７の移動に連動して光軸Ｏ２に沿って移動され、一対の指標の一次空中結像点としての中間点Ｒ１は被検眼Ｅが近視の時、光軸Ｏ１に沿って黒点１２ａに近づく方向に移動することとなるが、一対の指標は黒点１２ａに対して偏心しているので、黒点１２ａによってケラレるのを防止できる。撮影者はその合焦レンズ１７を光軸Ｏ３に沿って移動させると、一対の指標像ｑ１、ｑ２が、図７（イ）〜図７（ハ）において矢印ｙ方向に移動し、この一対の指標像ｑ１の下縁ｑ１´と指標像ｑ２の上縁ｑ２´との合致・非合致に基づき眼底像の合焦状態を検出できる。
【００１５】
なお、一対の指標の黒点１２ａに対する偏心量、指標板の移動量等は、変倍の大きさ等を考慮して決定する。
【００１６】
【実施の形態２】
図９は本発明に係わる眼底カメラの実施の形態２の光学系を示し、この光学系において、従来例と同一構成要素については同一符号を付して説明することとする。この発明の実施の形態２では、指標光投影光学系２５は、２個の赤外ＬＥＤ３４、３５と１個のスリット開口３６ａを有するスリット板３６とリレーレンズ３１と２個の孔３７ａ、３７ｂを有する２孔絞り３７とリレーレンズ３１´とから構成されている。そのスリット開口３６ａの中心はリレーレンズ３１の光軸Ｏ２に対して上側に偏心されている。赤外ＬＥＤ３４、３５は交互に点滅され、一方の赤外ＬＥＤ３４から出射された赤外光はスリット開口３６ａを通って２孔絞り３７の一方の孔３７ａを通って眼底Ｅｆに投影され、他方の赤外ＬＥＤ３５から出射された赤外光はスリット開口３６ａを通って２孔絞り３７の他方孔３７ｂを通って眼底Ｅｆに投影される。この発明の実施の形態２では、指標光投影光学系２５は実施の形態１の構成とは異なる構成とされているが、実施の形態１の構成と同じものを用いても良い。照明光学系１には、照明光源３の可視照明光をコンデンサレンズ４に向けて反射する凹面鏡３´が設けられている。リングスリット７を挟んでその両側には、リングスリット７´、７´´が設けられ、リングスリット７´は被検眼Ｅの角膜と共役とされ、リングスリット７´´は被検眼Ｅの水晶体の後面と共役とされている。リングスリット７´とコンデンサレンズ６との間には、可視蛍光撮影を行う時には可視蛍光用のエキサイタフィルタ３７が挿入されると共に、撮影者の色の好みに応じてフィルタ３８が挿入される。光学部材８には、指標光の波長と照明光の波長とが異なっており、指標光の波長（中心波長８５０ｎｍ）を全透過させるために、ダイクロイックミラーが用いられている。撮影光学系２には、撮影絞り１６と合焦レンズ１７との間の撮影光路に、必要に応じて視度補正レンズ３８、乱視補正レンズ３９が挿入される。また、可視蛍光撮影時にはバリアフィルタ４０が挿入される。接眼光学系２４にはダイクロイックミラー４１が設けられ、このダイクロイックミラー４１は赤外光を透過し、可視光を反射する特性を有し、図１０はそのダイクロイックミラー４１の光学特性を示しており、光学部材８として用いるダイクロイックミラーの光学特性もこれと同様の光学特性を有し、指標光８５０ｎｍよりも少し短い波長（８００ｎｍ近傍）から急速に立ち上がる曲線Ｃｒを描いている。その図１０において、横軸は光の波長を示し、縦軸は透過率を示す。
【００１７】
そのダイクロイックミラー４１の後面には、微小反射ミラー４２が設けられている。この微小反射ミラー４２の反射方向前方には光検出手段としての一次元ラインセンサ４３が設けられている。一次元ラインセンサ４３は一対の指標の偏心方向と同一方向にθ１だけ偏心して設けられ、この一次元ラインセンサ４３は眼底Ｅｆと共役関係を保つように配置されている。その一次元ラインセンサ４３は一対の指標光を受光する。その一次元ラインセンサ４３の配設方向と指標像ｑ１、ｑ２との関係が図１１（イ）ないし図１１（ハ）に示されている。この図１１において、符号４３´は一次元ラインセンサ４３の共役像を示している。指標像ｑ１、ｑ２は赤外光であるため、肉眼視できないが、ここでは、説明の便宜のため、肉眼視できるものとして図１１にあえて示した。眼底像が合焦状態にないときには、破線で示すように、指標像ｑ１と指標像ｑ２とが点滅しつつスプリットして投影される。眼底像が合焦状態にあるときには、実線で示すように、指標像ｑ１と指標像ｑ２とが重なるために、常時点灯しているかのようにして、眼底Ｅｆに投影される。一次元ラインセンサ４３の受光出力は図示を略すオートフォーカス用の処理回路に入力されている。その処理回路は一方の指標光の受光出力と他方の受光出力との差分をとり、この差分出力が所定の許容幅内に収束するように合焦レンズ１７を駆動する。その原理は特公昭６２−５１６１８号公報の第（３）頁第５欄第７行から同欄第２８行までに記載されているので必要とあれば同公報を参照されたい。
【００１８】
ダイクロイックミラー４１は図示を略すＴＶリレーレンズが装着されて、ＴＶカメラで眼底像を撮像するときには、破線で示すように、ＴＶリレーレンズの撮影光路Ｘから退避される。符号Ｘ´はその眼底Ｅｆの共役点を示し、ＴＶリレーレンズは共役点Ｘ´に空中結像された眼底像をＴＶカメラにリレーする。接眼光学系２４には、ダイクロイックミラー４１と接眼レンズ２３との間に、フィールドレンズ４４が設けられている。フィールドレンズ４４には図１２に示すようにクロスヘアー４５が設けられると共に、一次元ラインセンサ４３の検出範囲を表示するために、オートフォーカス領域を示す指示枠４６が設けられている。
【００１９】
以上、実施の形態２について説明したが、変形例として以下に説明する構成が考えられる。
【００２０】
【変形例】
赤外蛍光撮影を行うときには、照明光学系１の照明光路に可視蛍光用のエキサイタフィルタ３７の代わりに図示を略す赤外蛍光用のエキサイタフィルタを挿入し、撮影光学系２の撮影光路に可視蛍光用のバリアフィルタ４０の代わりに図示を略す赤外蛍光用のバリアフィルタを挿入する。図１３において、実線Ｙ１は赤外蛍光用のエキサイタフィルタの透過特性を示し、破線Ｙ２は赤外蛍光用のバリアフィルタの透過特性を示している。この変形例の光学部材８のダイクロイックミラーの光学特性、ダイクロイックミラー４２の光学特性は、その赤外蛍光用のエキサイタフィルタ、バリアフィルタの透過特性に応じて、図１４に示すように、図１０に示す光学部材８のダイクロイックミラーの光学特性、ダイクロイックミラー４２の光学特性に対して１００ｎｍほど長波長側にずれる構成とされ、これに応じて赤外ＬＥＤ３４、３５の中心波長も１００ｎｍほど長波長側にずれて、９５０ｎｍとされている。なお、赤外蛍光撮影を行う場合には、赤外のレーザーダイオードを使用する構成とすることもできる。この場合には、赤外蛍光用のエキサイタフィルタは不要である（特開平７−５１２３２号公報参照）。
【００２１】
ここで、指標光の赤外波長を赤外蛍光用としての照明光の赤外波長よりも長波長側にずらしたわけは、同一波長域とすると、指標光が照明光に埋もれからであり、また、光学系の構成をダイククイックミラーの光学特性を変更するのみで、赤外蛍光撮影を容易に行うことができるからである。
【００２２】
なお、視度補正レンズ３８、乱視補正レンズ３９を撮影光学系２の撮影光路に挿入するような屈折異常が被検眼Ｅにある場合には、合焦用の指標の機能、オートフォーカス機能を停止させることとする。
【００２３】
また、これらの発明の実施の形態では、合焦指標光学系のうち、その光源から指標までを全て偏心させているが、偏心量があまり大きくなければ、指標のみを偏心させる構成としても構わない。
【００２４】
【発明の効果】
本発明に係わる眼底カメラの光学系は、以上説明したように、黒点に対して指標が偏心されているので、被検眼が近視の場合でも、その指標が黒点によってケラレるのを確実に防止できる。
【図面の簡単な説明】
【図１】  従来の眼底カメラの光学系を示す図である。
【図２】  図１に示す光学部材の平面図であって、指標光を反射する反射面の配列方向を説明するための図である。
【図３】  図１に示す指標板とスプリットプリズムとからなる組立体の構成を説明するための分解斜視図である。
【図４】  発明の実施の形態１に係わる眼底カメラの光学系を示す図である。
【図５】  図４に示す指標板とスプリットプリズムとからなる組立体の空間配置を説明するための図であって、（イ）はその組立体を下側から目視した場合を示す、（ロ）は（イ）に示す組立体を右側から目視した場合を示す。
【図６】  図４に示す光学系において、眼底に投影された一対の指標像を接眼光学系を介して目視した場合を示し、（イ）は画角５０度、（ロ）は画角３５度、（ハ）は画角２０度をそれぞれ示している。
【図７】  図４に示す光学部材の平面図であって、指標光を反射する反射面の配列方向を説明するための図である。
【図８】  発明の実施の形態２に係わる眼底カメラの光学系を示す図である。
【図９】  ダイクロイックミラーの反射特性を示す光学特性図である。
【図１０】  図８に示す光学系において、眼底に投影された一対の指標像を接眼光学系を介して目視した場合を示し、（イ）は画角５０度、（ロ）は画角３５度、（ハ）は画角２０度をそれぞれ示している。
【図１１】  図８に示すフィールドレンズに設けられたクロスヘアーと合焦用指示枠とを示す図である。
【図１２】  赤外蛍光撮影用のエキサイタフィルターとバリアフィルターとを説明するための光学特性図である。
【図１３】  変形例の場合のダイクロイックミラーの光学特性図である。
【符号の説明】
１…照明光学系
２…撮影光学系
１２…黒点板
１２ａ…黒点
１５…対物レンズ
１６…撮影絞り
２５…合焦指標投影光学系
Ｅ…被検眼
Ｅｆ…眼底
Ｏ１…照明系１の光軸
ｑ１、ｑ２…指標像
【図１】
0003653621.tif 000002
【図２】
0003653621.tif 000003
【図３】
0003653621.tif 000004
【図４】
0003653621.tif 000005
【図５】
0003653621.tif 000006
【図６】
0003653621.tif 000007
【図７】
0003653621.tif 000008
【図８】
0003653621.tif 000009
【図９】
0003653621.tif 000010
【図１０】
0003653621.tif 000011
【図１１】
0003653621.tif 000012
【図１２】
0003653621.tif 000013
【図１３】
0003653621.tif 000014